(57)【要約】【課題】建築物の外観に影響するパネルであっても外観を損ねることなく、良好にパネル同士を密着させることができるパネル密着用治具を提供することを目的とする。【解決手段】パネル密着用治具１は、第２パネルＰ２の第１パネルとは反対側に配置されるベース部２と、ベース部２に対して支柱Ｍ１に直交する方向で移動可能に設けられ、ベース部２との間で支柱Ｍ１を挟持可能な固定用ジャッキ部３と、ベース部２に対して支柱Ｍ１に沿った方向に移動可能に設けられ、支柱Ｍ１に固定されたベース部２から第２パネルＰ２に向けて前進することで、第２パネルＰ２の端面Ｐ２１を第１パネルに向けて押圧する押圧用ジャッキ部４と、を備えている。【選択図】図２
0003162511.tif 000002
【実用新案登録請求の範囲】
【請求項１】
建築物の骨組みを構成する支柱に固定される第１パネルに対して、前記支柱に沿うように前記第１パネルに隣接される第２パネルを密着させるためのパネル密着用治具であって、
前記第２パネルの前記第１パネルとは反対側に配置されるベース部と、
前記ベース部に対して前記支柱に直交する方向で移動可能に設けられ、前記ベース部との間で前記支柱を挟持可能な固定用ジャッキ部と、
前記ベース部に対して前記支柱に沿った方向に移動可能に設けられ、前記支柱に固定されたベース部から前記第２パネルに向けて前進することで、前記第２パネルの端面を前記第１パネルに向けて押圧する押圧用ジャッキ部と、を備えたことを特徴とするパネル密着用治具。
【請求項２】
前記ベース部は、前記支柱を間に挟んだ状態で互いに対向する一対の対向壁と、各対向壁の端部同士を連結する連結壁とを有し、
前記固定用ジャッキ部は、一方の対向壁に形成されたネジ孔に捩じ込まれることで、回転しながらネジ孔の軸方向に進退可能なネジ部を有するジャッキであり、
前記押圧用ジャッキ部は、前記連結壁に形成されたネジ孔に捩じ込まれることで、回転しながらネジ孔の軸方向に進退可能なネジ部を有するジャッキであることを特徴とする請求項１に記載のパネル密着用治具。
【請求項３】
前記固定用ジャッキ部および前記押圧用ジャッキ部の少なくとも一方のネジ部には、ラチェット機構を介して操作部が一体に設けられていることを特徴とする請求項２に記載のパネル密着用治具。
【請求項４】
前記操作部は、筒状の操作面を有するとともに、当該筒状の操作面の軸回りに回転操作可能なグリップ部であることを特徴とする請求項３に記載のパネル密着用治具。
【請求項５】
前記ネジ部には、前記グリップ部よりも径方向外側に延びる操作レバーがラチェット機構を介して一体に設けられていることを特徴とする請求項４に記載のパネル密着用治具。
【請求項６】
前記押圧用ジャッキ部の前記第２パネルとの接触部が、前記第２パネルの端面に沿った長尺状に形成されるとともに、前記ネジ部の前記第２パネル側の端部に回転可能に支持されていることを特徴とする請求項２〜請求項５のいずれか１項に記載のパネル密着用治具。
【請求項７】
前記接触部の両端側には、前記ベース部に向けて突出するガイドピンが設けられ、
前記ベース部には、前記ガイドピンを摺動可能に支持するガイド孔が形成されていることを特徴とする請求項６に記載のパネル密着用治具。
【請求項８】
前記接触部には、前記第２パネルの外面に沿うように前記第１パネルに向けて延びるパネル保持部が設けられていることを特徴とする請求項６または請求項７に記載のパネル密着用治具。
【考案の詳細な説明】
【技術分野】
【０００１】
本考案は、屋根パネルや壁パネルなどの建築用の一対のパネル同士を密着させるためのパネル密着用治具に関する。
【背景技術】
【０００２】
従来、パネル密着用治具として、一対のパネルのそれぞれに形成される穴に差し込まれる２本の棒状突起と、各棒状突起を互いに近付く方向に引き寄せるためのリンク機構と、リンク機構を作動させる操作レバーとを備えたものが知られている（特許文献１参照）。これによれば、操作レバーの操作で各棒状突起を互いに近付くように移動させることで、一対のパネルの端面同士を密着させた後、ビス等により良好に接合することが可能となっている。
【先行技術文献】
【特許文献】
【０００３】
【特許文献１】特開平７−１０２７８０号公報
【考案の概要】
【考案が解決しようとする課題】
【０００４】
しかしながら、従来の技術では、各パネルに棒状突起を取り付けるための穴を形成する必要があるため、例えば外壁を構成する壁パネルなど、建築物の外観に影響するパネルに使用することはできなかった。
【０００５】
そこで、本考案は、建築物の外観に影響するパネルであっても外観を損ねることなく、良好にパネル同士を密着させることができるパネル密着用治具を提供することを目的とする。
【課題を解決するための手段】
【０００６】
前記課題を解決する本考案は、建築物の骨組みを構成する支柱に固定される第１パネルに対して、前記支柱に沿うように前記第１パネルに隣接される第２パネルを密着させるためのパネル密着用治具であって、前記第２パネルの前記第１パネルとは反対側に配置されるベース部と、前記ベース部に対して前記支柱に直交する方向で移動可能に設けられ、前記ベース部との間で前記支柱を挟持可能な固定用ジャッキ部と、前記ベース部に対して前記支柱に沿った方向に移動可能に設けられ、前記支柱に固定されたベース部から前記第２パネルに向けて前進することで、前記第２パネルの端面を前記第１パネルに向けて押圧する押圧用ジャッキ部と、を備えたことを特徴とする。
【０００７】
本考案によれば、まず、固定用ジャッキ部を用いてベース部を支柱に固定させた後、押圧ジャッキ部を用いて第２パネルの端面を押圧することで、第２パネルを第１パネルに密着させることができる。すなわち、従来のように各パネルに穴を開ける必要がないので、建築物の外観に影響するパネルであっても外観を損ねることなく、良好にパネル同士を密着させることができる。
【０００８】
また、本考案では、前記ベース部が、前記支柱を間に挟んだ状態で互いに対向する一対の対向壁と、各対向壁の端部同士を連結する連結壁とを有し、前記固定用ジャッキ部が、一方の対向壁に形成されたネジ孔に捩じ込まれることで、回転しながらネジ孔の軸方向に進退可能なネジ部を有するジャッキであり、前記押圧用ジャッキ部が、前記連結壁に形成されたネジ孔に捩じ込まれることで、回転しながらネジ孔の軸方向に進退可能なネジ部を有するジャッキであることが望ましい。
【０００９】
これによれば、例えばラック・ピニオン式などのジャッキ構造に比べ、構造を簡易化することができる。
【００１０】
また、本考案では、前記固定用ジャッキ部および前記押圧用ジャッキ部の少なくとも一方のネジ部に、ラチェット機構を介して操作部を一体に設けるのが望ましい。
【００１１】
これによれば、ネジ部にラチェット機構付きの操作部が一体に設けられているので、パネル密着用治具とラチェットレンチが別々に構成される構造に比べ、作業のたびにネジ部にラチェットレンチを着脱させる手間を省くことができる。
【００１２】
また、本考案では、前記操作部が、筒状の操作面を有するとともに、当該筒状の操作面の軸回りに回転操作可能なグリップ部であるのが望ましい。
【００１３】
これによれば、グリップ部の筒状の操作面を軸回りに回転操作することによって素早くジャッキ部を移動させることができる。
【００１４】
また、本考案では、前記ネジ部に、前記グリップ部よりも径方向外側に延びる操作レバーをラチェット機構を介して一体に設けるのが望ましい。具体的に、操作レバーは、例えば、グリップ部のラチェット機構とは別のラチェット機構を介してネジ部に設けられてもよいし、ラチェット機構とグリップ部を介してネジ部に設けられていてもよい。
【００１５】
これによれば、グリップ部によって素早くジャッキ部を目標位置まで移動させた後、操作レバーによって大きな力をジャッキ部に発生させることができる。
【００１６】
また、本考案では、前記押圧用ジャッキ部の前記第２パネルとの接触部が、前記第２パネルの端面に沿った長尺状に形成されるとともに、前記ネジ部の前記第２パネル側の端部に回転可能に支持されているのが望ましい。
【００１７】
これによれば、長尺状の接触部によって押圧用ジャッキ部から第２パネルに局所的に押圧力が加えられることが抑制されるので、第２パネルが変形するのを抑えることができる。また、長尺状の接触部が押圧用ジャッキ部のネジ部の端部に回転可能に支持されるので、ネジ部が回転しながら進退するのに伴って長尺状の接触部が回転してしまうのを抑えることができる。
【００１８】
また、本考案では、前記接触部の両端側に、前記ベース部に向けて突出するガイドピンを設け、前記ベース部に、前記ガイドピンを摺動可能に支持するガイド孔を形成するのが望ましい。
【００１９】
これによれば、ネジ式の押圧用ジャッキが回転しながら進退するのに伴って長尺状の接触部が回転してしまうのを、より抑えることができる。
【００２０】
また、本考案では、前記接触部に、前記第２パネルの外面に沿うように前記第１パネルに向けて延びるパネル保持部を設けるのが望ましい。
【００２１】
これによれば、接触部で第２パネルを押圧する際に、第２パネルが支柱から離れる方向へ倒れるのを、パネル保持部で抑えることができる。
【考案の効果】
【００２２】
本考案によれば、建築物の外観に影響するパネルであっても外観を損ねることなく、良好にパネル同士を密着させることができる。
【図面の簡単な説明】
【００２３】
【図１】本実施形態に係るパネル密着用治具を支柱に取り付けた状態を示す斜視図である。
【図２】パネル密着用治具を詳細に示す拡大図である。
【図３】パネル密着用治具を上方から見た上面図である。
【図４】パネル密着用治具を作業者側から見た正面図である。
【図５】パネル密着用治具を右側から見た側面図である。
【考案を実施するための形態】
【００２４】
次に、本考案の実施形態について、適宜図面を参照しながら詳細に説明する。
図１に示すように、パネル密着用治具１は、家屋やビルなどの建築物Ａの骨組みを構成する支柱Ｍ１，Ｍ２に沿うように、断熱材からなる外壁パネルＰを下から順に組み上げていく作業に用いる治具である。具体的に、この作業では、支柱Ｍ１，Ｍ２に既に固定している外壁パネルＰ（以下、第１パネルＰ１ともいう）に対して、まだ固定していない外壁パネルＰ（以下、第２パネルＰ２ともいう）を上側に隣接して配置させ、パネル密着用治具１を用いて第２パネルＰ２を第１パネルＰ１に密着させた後、第２パネルＰ２を支柱Ｍ１，Ｍ２にビスなどによって固定させている。
【００２５】
このパネル密着用治具１は、図２に示すように、コ字状のベース部２と、ネジ式の固定用ジャッキ部３および押圧用ジャッキ部４とを備えて構成されている。
【００２６】
ベース部２は、アルミニウムなどの軽量かつ高強度の材料で形成されており、支柱Ｍ１を間に挟んだ状態で互いに対向するように配置される一対の対向壁２１，２２と、各対向壁２１，２２の一端（外側の端部）同士を連結する連結壁２３とによってコ字状に形成されている。なお、このベース部２には、軽量化のために、適宜肉抜き部や面取りを施すのが望ましい。
【００２７】
固定用ジャッキ部３は、図３に示すように、ベース部２の右側の対向壁２１に対して左右方向（支柱Ｍ１に直交する方向）で移動可能に設けられ、ベース部２の左側の対向壁２２との間で支柱Ｍ１を挟持可能に構成されている。なお、本実施形態では、固定用ジャッキ部３とベース部２の対向壁２２との間隔などを、角パイプである支柱Ｍ１に合わせた寸法としたが、本発明はこれに限定されず、例えばＣ型鋼である支柱Ｍ２を左右で挟み込むような寸法としてもよい。
【００２８】
具体的に、固定用ジャッキ部３は、一方の対向壁２１に形成されたネジ孔２１ａに捩じ込まれることで、回転しながらネジ孔２１ａの軸方向に進退可能なネジ式のジャッキであり、主に、ネジ部３１と、ジャッキベース３２と、ラチェット機構および操作部の一例としてのグリップラチェット３３と、操作レバー３４とを備えて構成されている。
【００２９】
ジャッキベース３２は、ベース部２の左側の対向壁２２との間で支柱Ｍ１を挟み込む部品であり、ネジ部３１の左右方向内側の端部に回転可能に設けられている。これにより、ネジ部３１にかかるトルクがジャッキベース３２に伝達されにくいので、支柱Ｍ１に不要なモーメントがかかることが防止される。
【００３０】
グリップラチェット３３は、内部に公知のラチェット機構を有するとともに、このラチェット機構を介してネジ部３１の左右方向外側の端部に一体に設けられるグリップ部３３Ａを有している。このように、ネジ部３１にラチェット機構を介してグリップ部３３Ａが一体に設けられることにより、例えばパネル密着用治具とグリップラチェットが別々に構成される構造に比べ、作業のたびにネジ部にグリップラチェットを着脱させる手間を省くことができる。
【００３１】
また、グリップ部３３Ａは、円筒面状（筒状）に形成された操作面３３ａを有し、この円筒面状の操作面３３ａの軸回りに回転操作可能となっている。これにより、作業者はグリップ部３３Ａを素早く回転させることが可能となっている。
【００３２】
また、グリップ部３３Ａの操作面３３ａには、複数の凹凸が形成されている。これにより、作業者の指がグリップ部３３Ａから滑ることが防止されている。なお、操作面は、円筒面状でなくてもよく、例えば多角形状の筒状であってもよい。
【００３３】
操作レバー３４は、グリップ部３３Ａの左右方向外側の端面に固定され、グリップ部３３Ａから径方向外側に延びるように形成されている。すなわち、操作レバー３４は、ネジ部３１に対して、ラチェット機構およびグリップ部３３Ａを介して一体に設けられている。そのため、グリップラチェット３３をある程度回転操作することで、ジャッキベース３２を素早く支柱Ｍ１に当接させて仮止めした後、操作レバー３４の操作により大きな力で支柱Ｍ１をジャッキベース３２と対向壁２２との間で挟み込むことが可能となっている。
【００３４】
図４に示すように、押圧用ジャッキ部４は、ベース部２の連結壁２３に対して上下方向（支柱Ｍ１に沿った方向）に移動可能に設けられている。具体的に、押圧用ジャッキ部４は、ベース部２の連結壁２３に形成されたネジ孔２３ａに捩じ込まれることで、回転しながらネジ孔２３ａの軸方向に進退可能なネジ式のジャッキであり、主に、ネジ部４１と、ジャッキベース４２と、ラチェット機構および操作部の一例としてのラチェットハンドル４３とを備えて構成されている。
【００３５】
ジャッキベース４２は、左右方向で長尺となる板状部材であり、図５に示すように、接触部４２ａとパネル保持部４２ｂとによって断面視略Ｌ字状に形成されている。
【００３６】
接触部４２ａは、第２パネルＰ２の端面Ｐ２１（図１参照）に沿って延びる長尺の板状に形成されている。これにより、接触部４２ａから第２パネルＰ２に対して局所的に押圧力が加えられることが防止されるので、第２パネルＰ２の変形を抑えることが可能となっている。
【００３７】
また、接触部４２ａは、図４に示すように、その左右方向の中央部がネジ部４１の下端部に回転可能に支持されている。これにより、ネジ部４１の回転に伴って長尺状のジャッキベース４２が一緒に回転することが抑制されている。
【００３８】
さらに、接触部４２ａの両端側には、ベース部２に向けて突出するガイドピン４４が１つずつ設けられている。各ガイドピン４４は、ベース部２の連結壁２３にネジ孔２３ａを挟むように形成された一対のガイド孔２３ｂによって、摺動可能に支持されている。これにより、ネジ部４１の回転に伴って長尺状のジャッキベース４２が回転してしまうのを、より抑えることが可能となっている。
【００３９】
図５に示すように、パネル保持部４２ｂは、接触部４２ａの外側の端部から下方（第２パネルＰ２の外面Ｐ２２に沿う方向であり、かつ、第２パネルＰ２から第１パネルＰ１に向かう方向；図１参照）に向けて延びる板状に形成されている。これにより、接触部４２ａで第２パネルＰ２を押圧する際に、第２パネルＰ２が支柱Ｍ１から離れる方向へ倒れるのを、パネル保持部４２ｂで抑えることが可能となっている。
【００４０】
ラチェットハンドル４３は、内部に公知のラチェット機構を有するとともに、このラチェット機構を介してネジ部４１の上端部に一体に設けられる操作部の一例としての操作ハンドル４３ａを有している。このように、ネジ部４１にラチェット機構を介して操作ハンドル４３ａが一体に設けられることにより、例えばパネル密着用治具とラチェットレンチが別々に構成される構造に比べ、作業のたびにネジ部にラチェットレンチを着脱させる手間を省くことが可能となっている。
【００４１】
次に、パネル密着用治具１を用いた外壁パネルＰの組立方法について説明する。
図１に示すように、まず、作業者は、既に支柱Ｍ１，Ｍ２に対して固定した第１パネルＰ１の上側に第２パネルＰ２をセットした後、第２パネルＰ２の上側（第１パネルＰ１とは反対側）にパネル密着用治具１のベース部２を配置させる。詳しくは、コ字状のベース部２の溝内に支柱Ｍ１が入り込むとともに、Ｌ字状のジャッキベース４２のパネル保持部４２ｂが第２パネルＰ２と前後方向で重なるような位置に、ベース部２を配置させる。
【００４２】
その後、作業者は、図２に示すように、グリップラチェット３３によって素早くジャッキベース３２（図３参照）を支柱Ｍ１に当接させて、パネル密着用治具１を支柱Ｍ１に仮固定させる。続いて、作業者は、操作レバー３４によって、パネル密着用治具１を支柱Ｍ１に強固に固定させる。
【００４３】
次に、作業者は、ラチェットハンドル４３を操作することで、支柱Ｍ１に固定されたベース部２から第２パネルＰ２に向けてジャッキベース４２を前進させ、このジャッキベース４２で第２パネルＰ２の端面Ｐ２１を第１パネルＰ１に向けて押圧する。これにより、例えば第１パネルＰ１と第２パネルＰ２の間にパッキンを設けても、押圧用ジャッキ部４からの強い力によって、各パネルＰ１，Ｐ２を良好に密着させることができる。
【００４４】
また、ジャッキベース４２で第２パネルＰ２の端面Ｐ２１を押すように構成することで、従来のように各パネルに穴を開ける必要がないので、建築物Ａの外観に影響する外壁パネルＰであっても外観を損ねることなく、良好にパネル同士を密着させることができる。
【００４５】
そして、第１パネルＰ１に第２パネルＰ２を密着させた後は、作業者は、第２パネルＰ２をビス等により支柱Ｍ１，Ｍ２に固定する。第２パネルＰ２の固定作業が完了した後は、作業者は、固定用ジャッキ部３のラチェット機構の公知の回転方向切替レバーを操作することで、ラチェット機構の回転方向（力の伝達方向）を切り替えてから、操作レバー３４やグリップラチェット３３を逆向きに回転させる。
【００４６】
これにより、固定用ジャッキ部３を支柱Ｍ１から退避させて、パネル密着用治具１を支柱Ｍ１から取り外すことができる。なお、押圧用ジャッキ部４については、支柱Ｍ１からパネル密着用治具１を取り外した後で、公知の回転方向切替レバーやラチェットハンドル４３を前述と同様に操作することで、初期状態に戻せばよい。
【００４７】
なお、本考案は前記実施形態に限定されることなく、以下に例示するように様々な形態で利用できる。
前記実施形態では、支柱に固定するパネルとして外壁パネルＰを採用したが、本発明はこれに限定されず、例えば屋根パネルなどであってもよい。
【００４８】
前記実施形態では、ネジ式の固定用ジャッキ部３および押圧用ジャッキ部４を採用したが、本発明はこれに限定されず、例えばラック・ピニオン式のジャッキ部などを採用してもよい。ただし、実施形態のようにジャッキ部をネジ式とすると、構造を簡易化することができ、コストを抑えることができる。
【００４９】
前記実施形態では、グリップ部３３Ａの端面に操作レバー３４を直接固定したが、本発明はこれに限定されず、グリップ部の端面と操作レバーとの間に新たなラチェット機構を設けてもよいし、また、グリップ部のラチェット機構とは別のラチェット機構を介して操作レバーをネジ部に一体に設けてもよい。この場合には、グリップ部の操作のときに操作レバーを押さえておけば、操作レバーが回転することなくグリップ部のみを回転操作することができる。
【符号の説明】
【００５０】
１      パネル密着用治具
２      ベース部
３      固定用ジャッキ部
４      押圧用ジャッキ部
Ａ      建築物
Ｍ１    支柱
Ｐ１    第１パネル
Ｐ２    第２パネル
Ｐ２１  端面
【図１】
0003162511.tif 000003
【図２】
0003162511.tif 000004
【図３】
0003162511.tif 000005
【図４】
0003162511.tif 000006
【図５】
0003162511.tif 000007